(57)【特許請求の範囲】
【請求項１】
音声信号を１以上のスピーカに出力する構内放送装置であって、
第１音源からの音声信号を増幅して第１音声信号を出力する第１増幅器と、
前記第１増幅器の出力側に並列接続して設けられ、前記第１音声信号の出力が可能なスピーカが接続される１以上のスピーカ回線と、
第２音源からの音声信号に基づいて増幅された第２音声信号を取り込むための入力手段と、
前記第１増幅器の出力側、前記入力手段の出力側および前記１以上のスピーカ回線の入力側に設けられ、前記第１増幅器と前記１以上のスピーカ回線との間、または、前記入力手段と前記１以上のスピーカ回線との間のいずれかに接続を切り換える第１切替手段と、
前記第１切替手段における接続の切り換えを制御する第１制御手段と、
を備える構内放送装置。
【請求項２】
前記スピーカ回線が複数ある場合、各スピーカ回線のそれぞれに設けられ、各スピーカ回線に接続されているスピーカと前記第１増幅器の出力側との間、または、それぞれのスピーカと前記入力手段の出力側との間のいずれかに接続を切り換える複数のスピーカ切替手段と、
前記スピーカ切替手段のそれぞれを前記第１切替手段とは独立に制御する第２制御手段と、
をさらに備える請求項１に記載の構内放送装置。
【請求項３】
前記第１増幅器の故障を検知したとき、故障検知信号を出力する故障検知手段をさらに備え、
前記第１制御手段は、前記故障検知手段からの故障検知信号を検知した場合、前記入力手段と前記スピーカ回線との間を接続するように前記第１切替手段を制御する、
請求項１または２に記載の構内放送装置。
【請求項４】
前記第１増幅器の入力側に設けられ、前記第１音源からの音声信号を外部へ出力するための出力手段をさらに備え、
前記入力手段は、前記出力手段からの音声信号を取り込むように構成されている、請求項３に記載の構内放送装置。
【請求項５】
請求項１ないし４のいずれかに記載の構内放送装置と、１以上のスピーカとを含んで構成される構内放送システム。
【発明の詳細な説明】
【０００１】
【発明の属する技術分野】
本発明は、構内放送装置に関する。中でも、非常放送機能、アンプ切換機能及び多元放送機能を付加可能な構内放送装置に関する。本発明において、多元放送とは、特定のゾーンに設置されたスピーカには呼び出し放送を行い、他のスピーカにはＢＧＭを放送するなど、異なる音源からの音声信号を各スピーカ毎に選択的に放送させることを言う。
【０００２】
【従来の技術】
多くの国では、建物に設けられる防災設備の１つとして、非常放送設備の設置が要求されている。非常放送設備は、火災やガス漏れなどの非常事態が発生した場合に、建物内の人々に警報や音声などによる非常放送するための設備である。建物内では、構内放送装置を用いてＢＧＭ放送や呼び出し放送などを行っている場合があるが、非常放送は構内放送装置の放送に割り込んで優先的に放送される。
【０００３】
図５は非常放送設備のある建物で使用される構内放送装置の配線例である。構内放送装置外部に設けられた制御板は、構内放送装置に接続されるスピーカ分のリレーを有しており、これによってスピーカと非常放送設備とが接続される。リレーは、非常時に非常放送設備側に自動的に切り換わり、全てのスピーカは非常放送設備から出力される非常放送信号を放送する。
【０００４】
図６は予備パワーアンプ付構内放送装置の配線例である。この構内放送装置は、故障検知手段と、予備パワーアンプと、アンプ切換リレーとを有している。故障検知手段がパワーアンプの故障を検知すると、アンプ切換リレーが切り換わり予備パワーアンプとスピーカ回線とが接続される。図６の構内放送装置は、例えば高い信頼性が求められる非常放送装置を通常の放送装置と兼用する場合に好ましく使用される。
【０００５】
図７は多元放送を行う構内放送装置の配線例である。この構内放送装置には、マイク等の呼び出し音源又はラジオ等のＢＧＭ音源が入力される。音源の入力はＢＧＭセレクタユニットによって切り換えられる。また、スピーカの数に応じたスピーカセレクタユニットが設けられている。従って、各スピーカ毎にＢＧＭ放送又は呼び出し放送を選択的に行うことができる。
【０００６】
【発明が解決しようとする課題】
図５に示したように、構内放送装置を非常放送設備に接続する場合、使用するスピーカ分のリレーと、リレーを駆動するための電源とを備えた制御板を別途設ける必要がある。そのため、ローカルアンプ及び非常放送設備と制御板との間に配線が必要となり、総配線数が増加してしまう。
【０００７】
また、図６に示される構内放送装置は、高価なパワーアンプを２つも含むため、装置全体が高価になってしまう。
図７に示される多元構内放送装置には、スピーカの台数分のスピーカセレクタユニットに加えてＢＧＭセレクタユニットを設ける必要があり、又これらのユニットを制御するための手段が複雑となる。
【０００８】
しかも、図５〜７に示す構内放送装置は、いずれも異なるニーズに応じて異なる構成を有している。そのため、構内放送装置と非常放送設備とを別々に用いたい場合、両者を兼用したい場合、多元放送を行いたい場合など、異なるニーズに応じてユーザは異なる構内放送装置を購入しなければならない。これでは、時代や設備の老朽化に伴い変化するユーザのニーズに柔軟に対応しにくく、結果的にはユーザにコスト面での負担を強いることになる。
【０００９】
本発明は、ユーザの多様なニーズに対応可能な構内放送装置を提供することを目的とする。
【００１０】
【課題を解決するための手段】
上述の課題を解決するために、本願第１発明は、音声信号を１以上のスピーカに出力する構内放送装置であって、第１音源からの音声信号を増幅して第１音声信号を出力する第１増幅器と、前記第１増幅器の出力側に並列接続して設けられ、前記第１音声信号の出力が可能なスピーカが接続される１以上のスピーカ回線と、第２音源からの音声信号に基づいて増幅された第２音声信号を取り込むための入力手段と、前記第１増幅器の出力側、前記入力手段の出力側および前記１以上のスピーカ回線の入力側に設けられ、前記第１増幅器と前記１以上のスピーカ回線との間、または、前記入力手段と前記１以上のスピーカ回線との間のいずれかに接続を切り換える第１切替手段と、前記第１切替手段における接続の切り換えを制御する第１制御手段と、を備える。
【００１１】
第１音源としては、呼び出し放送用のマイクやＢＧＭ放送用のプレーヤなどを用いることができる。第２音源としては、非常放送装置やＢＧＭ放送用プレーヤなどを用いることができる。第１切替手段を用いれば、スピーカ回線に出力する音声を、第１音声信号または第２音声信号に切り替えることができる。
【００１２】
本願第２発明は、前記第１発明において、前記スピーカ回線が複数ある場合、各スピーカ回線のそれぞれに設けられ、各スピーカ回線に接続されているスピーカと前記第１増幅器の出力側との間、または、それぞれのスピーカと前記入力手段の出力側との間のいずれかに接続を切り換える複数のスピーカ切替手段と、前記スピーカ切替手段のそれぞれを前記第１切替手段とは独立に制御する第２制御手段と、をさらに備える構内放送装置を提供する。
【００１３】
スピーカ切替手段により、第１音声信号または第２音声信号をスピーカ毎に選択することが可能になる。例えば、ｎ個のスピーカａ〜ｎのうち、スピーカａに対しては第１音声信号である呼び出し放送を行い、他のスピーカｂ〜ｎに対しては第２音声信号であるＢＧＭ放送を行う。このようにすれば、スピーカａが設置されているゾーンに呼び出し放送を行う場合に、他のゾーンに流しているＢＧＭを中断せずにすむ利点がある。
【００１４】
本願第３発明は、前記第１又は第２発明において、前記第１増幅器の故障を検知したとき、故障検知信号を出力する故障検知手段をさらに備え、前記第１制御手段は、前記故障検知手段からの故障検知信号を検知した場合、前記入力手段と前記スピーカ回線との間を接続するように前記第１切替手段を制御する構内放送装置を提供する。
【００１５】
この装置は、この装置自身を非常放送に用いる場合などに有用である。装置外部の増幅器は予備のパワーアンプとして用いられ、装置本体のパワーアンプ（第１増幅器）が故障した場合、自動的に予備アンプに動作が切り替わる。
【００１６】
本願第４発明は、前記第３発明において、前記第１増幅器の入力側に設けられ、前記第１音源からの音声信号を外部へ出力するための出力手段をさらに備え、前記入力手段は、前記出力手段からの音声信号を取り込むように構成されている構内放送装置を提供する。
【００１７】
第１音源の音声信号は、外部出力手段から出力されて外部の第２増幅器に入力される。第２増幅器で増幅された音声信号は、第１外部入力手段から取り込まれる。
【００２０】
本願第５発明は、前記第１発明ないし第４発明のいずれかに記載の構内放送装置と、１以上のスピーカとを含んで構成される。
【００２１】
【発明の実施の形態】
以下、本発明に係る構内放送装置について、実施形態例を挙げて具体的に説明する。
【００２２】
＜第１実施形態例＞
［構成］
図１は、本発明の第１実施形態例に係る構内放送装置を用いた構内放送システムの全体構成図である。本実施形態例の構内放送装置１１０は、通常時は選択されたゾーンに対して呼び出し放送やＢＧＭ放送などの構内放送を行い、非常事態発生時には構内放送を中断し全てのゾーンに非常放送を行う。この構内放送装置１１０は、スピーカ回線１ａ〜ｎと、ミキサアンプ２と、パワーアンプ３と、ＣＰＵ５と、アッテネータ（ＡＴＴ）７ａ〜ｎと、ＡＴＴバイパスリレー８ａ〜ｎと、ゾーン出力リレー９ａ〜ｎと、パワーアンプリレー１１と、スピーカ出力端子１２ａ〜ｎと、外部入力端子１３とを有している。
【００２３】
構内放送装置１１０の外部入力端子１３には、非常放送装置１０１が接続されている。例えば、火災報知器などのセンサ（図示せず）が作動した場合、非常放送装置１０１は非常信号をＣＰＵ５に出力した後、警報などの非常音声信号を外部入力端子１３に自動出力する。
【００２４】
操作部６は、無線又は有線（図示せず）でＣＰＵ５に接続されており、ゾーン出力リレー９ａ〜ｎに対応して設けられたゾーン選択ボタンａ〜ｎ（図示せず）を備えている。操作者は、このボタンを押すことで放送を行うゾーンａ〜ｎを選択する。例えば、ｎ階建てビルのａ階及びｃ階に呼び出し放送を行う場合は、ａ階とｃ階に対応するゾーン選択ボタンａ及びｃを押す。
【００２５】
次に、構内放送装置１１０の各部について説明する。スピーカ回線１ａ〜ｎは、ホット（Ｈ）回線及び共通（Ｃ）回線からなる一般に知られている２線式のスピーカ回線であり、スピーカ出力端子１２ａ〜ｎを介してスピーカ１０ａ〜ｎと並列接続される。共通回線は、放送を行わないゾーン（後述の操作部６を参照）のスピーカ出力をショートし、放送を行わないゾーンに設けられたスピーカ１０の音漏れを防ぐ。各スピーカ回線１ａ〜ｎ毎に、アッテネータ（ＡＴＴ）７ａ〜ｎと、ＡＴＴバイパスリレー８ａ〜ｎと、ゾーン出力リレー９ａ〜ｎとが設けられている。スピーカ回線１ａ〜ｎは、パワーアンプリレー１１により、パワーアンプ３の出力端子又は外部入力端子１３に並列に接続される。
【００２６】
ミキサアンプ２は、マイク、レコードプレーヤ等の音源（図示せず）からの入力を中継増幅する。パワーアンプ３は、ミキサアンプ２から入力された音声信号を増幅処理し、これを出力端子から出力する。
【００２７】
アッテネータ７ａ〜ｎは、パワーアンプ３からの放送信号を減衰させる。ＡＴＴバイパスリレー８ａ〜ｎは、パワーアンプ３からの音声信号を、アッテネータ７ａ〜ｎ経由でスピーカ１０に出力するか（ＡＴＴ側）、パワーアンプ３から直接スピーカ１０に出力するか（パワーアンプリレー側）の切り換えを行う。ゾーン出力リレー９ａ〜ｎは、スピーカ回線１の接続を共通回線側又はパワーアンプ３若しくは非常放送装置１０１からの音声信号を入力する内部側に切り換える。スピーカ１０ａ〜ｎは従来のコーンスピーカなどである。パワーアンプリレー１１は、スピーカ回線１に入力する音声信号をパワーアンプ３から入力するか（パワーアンプ側）又は非常放送装置１０１から入力するか（外部入力端子側）を切り換える。
【００２８】
ＣＰＵ５は、操作部６のゾーン選択ボタンの操作に応じ、ゾーン出力リレー９を共通回線又はパワーアンプ３に接続する。例えば、ＣＰＵ５は、上記ボタンａ及びｃの操作状態に従ってゾーン出力リレー９ａ及び９ｃをパワーアンプ３側に接続する。これにより、ａ階とｃ階のスピーカ１０ａ及び１０ｃに、パワーアンプ３からの音声信号が入力される。また、ＣＰＵ５は、非常放送装置１０１から出力される非常信号を受信し、パワーアンプリレー１１、ＡＴＴバイパスリレー８及びゾーン選択リレー９の切り換えを行う。
【００２９】
［非常放送処理の流れ］
以下、本実施形態例の構内放送システムにおける非常放送処理の流れを説明する。
【００３０】
ステップＳ１０：非常放送装置１０１は、火災報知器などのセンサの作動を検知し、非常信号をＣＰＵ５へ出力する。
ステップＳ１１：ＣＰＵ５は、前記非常信号を受信すると、パワーアンプリレー１１を外部入力端子側に、ＡＴＴバイパスリレー８ａ〜ｎをパワーアンプリレー側に、及びゾーン出力リレー９ａ〜ｎを内部側にそれぞれ切り換える。これにより、各スピーカ１０ａ〜ｎと非常放送装置１０１とが接続される。
【００３１】
ステップＳ１２：非常放送装置１０１は、非常音声信号を出力する。全ての放送ゾーンのスピーカ１０ａ〜ｎからは、非常音声が放送される。
以上により、通常時には構内放送を行う構内放送装置１１０を用いて非常時には全ゾーンに非常放送を行うことができる。
【００３２】
＜第２実施形態例＞
［構成］
図２は、本発明の第２実施形態例に係る構内放送装置２１０を用いた構内放送システムの全体構成図である。本実施形態例の構内放送装置２１０は、高い信頼性が要求される場合、例えば緊急時においても確実に動作することが求められる放送システムに使用される。本実施形態例の構内放送システムでは、第１実施形態例の構内放送システムにおいて、非常放送設備１０１の代わりに予備のパワーアンプ３ｂ及び検知部４ｂが外部入力端子１３に接続されている。また検知部４ａと、プリアウト端子２０１とが構内放送装置２１０にさらに設けられている。図中、第１実施形態例と同様の機能を有する構成要素には、同一の符号番号を付して示している。
【００３３】
パワーアンプ３ａ及び３ｂは従来のプロテクトスイッチやサーモスタット等の保護装置（図示せず）を有している。保護装置は、パワーアンプ３ａ又は３ｂに異常が生じた場合、例えばアンプの出力端子に過電流が流れてプロテクトスイッチが作動したり、サーモスタットが検知した温度が所定の温度以上になった場合、異常信号を出力する。
【００３４】
検知部４ａ及び４ｂは、それぞれパワーアンプ３ａ及び３ｂに接続されており、異常信号を検知すると異常検知信号を無線又は有線でＣＰＵ５に出力する。ＣＰＵ５は、異常検知信号を受信すると、パワーアンプリレー１１を切り換える切換信号を出力する。パワーアンプリレー１１は、切換信号に従い、スピーカ回線１ａ〜ｎをパワーアンプ３ａ側又は外部入力端子１３側に接続する。
【００３５】
プリアウト端子２０１は、ミキサアンプ２からの音声信号を、構内放送装置２１０の外部に出力する。ここから出力された音声信号は、予備のパワーアンプ３ｂに入力される。
【００３６】
［アンプ切換処理の流れ］
以下、本実施形態例の構内放送システムにおけるアンプ切換処理の流れを説明する。ここでは、パワーアンプ３ａに過電流が流れて緊急停止する場合を想定している。
【００３７】
ステップＳ２０：プロテクトスイッチは、パワーアンプ３ａの出力端子に流れた過電流を感知し、パワーアンプ３ａの出力を緊急停止させ、異常信号を検知部４ａに出力する。
【００３８】
ステップＳ２１：検知部４ａは、異常信号を検知し、異常検知信号をＣＰＵ５に出力する。
ステップＳ２２：ＣＰＵ５は、異常検知信号を受信し、パワーアンプリレー１１を外部入力端子側１３に切り換える。これにより、各スピーカ回線１ａ〜ｎは、異常のあったパワーアンプ３ａ側から外部回線入力端子１３側、即ち正常なパワーアンプ３ｂ側に接続される。
【００３９】
尚、パワーアンプ３ｂが故障した場合も、検知部４ｂがパワーアンプ３ｂの故障を検知して同様の処理が行われることにより、各スピーカ回線１ａ〜ｎは正常なパワーアンプ３ａに接続される。従って、本実施形態例の構内放送装置２１０はパワーアンプ３ａ又は３ｂが故障しても故障前と同様に放送を行うことができ、システムの信頼性が高まる。よって、仮に非常放送を行う必要がある状況においてパワーアンプ３ａ及び３ｂのいずれかが故障していたとしても、もう一方のパワーアンプで放送を行うことができる。また、通常時においては、放送を行いながら故障したパワーアンプ３ａ、ｂの故障原因を調査することができる。
【００４０】
＜第３実施形態例＞
［構成］
図３は、本発明の第３実施形態例に係る構内放送装置３１０を用いた構内放送システムの全体構成図である。本実施形態例の構内放送装置は、例えば操作部６のゾーン選択ボタンで選択されたゾーンには呼び出し放送を行い、その他のゾーンにはＢＧＭを放送し続ける場合に使用する。この構内放送装置３１０は、第１実施形態例の構内放送装置１１０において、外部アンプリレー３０３をさらに有している。又、ＢＧＭ音源３０１及びＢＧＭ用アンプ３０２が外部入力端子１３に接続されている。図中、第１実施形態例と同様の機能を有する構成要素は、同一の符号番号を付して示している。
【００４１】
ＢＧＭ音源３０１は、テーブルプレーヤやラジオ等の音源である。ＢＧＭ用アンプ３０２は、ＢＧＭ音源３０１から出力される音声信号を増幅し、外部入力端子１３に入力する。外部アンプリレー３０３は、スピーカ回線１ａ〜ｎを外部入力端子１３又は共通（Ｃ）回線に接続する。パワーアンプリレー１１によりスピーカ１０ａ〜ｎをＢＧＭ用アンプ３０２又はパワーアンプ３に接続することも可能であるが、ゾーン単位でのアンプ切り換えができなくなる。従って、例えばあるゾーンにのみパワーアンプ３からの音声信号を放送し、その他のゾーンにはＢＧＭを放送するなどのゾーン単位でのアンプの切り換えを行いたい場合は、外部アンプリレー３０３を使用する。外部アンプリレー３０３は、ゾーン選択ボタンと同様、操作部６に設けられたＢＧＭ放送ボタン（図示せず）を操作することにより制御される。
【００４２】
［ＢＧＭ放送処理の流れ］
以下、本実施形態例の構内放送システムにおけるＢＧＭ放送処理の流れを説明する。ここでは、ミキサアンプ２に接続されている音源はマイクであり、マイクによって呼び出し放送を行うこととする。
【００４３】
ステップＳ３０：ＣＰＵ５は、操作部６のＢＧＭ放送ボタンが押されると、外部アンプリレー３０３を共通回線側から外部入力端子１３、即ちＢＧＭ用アンプ３０２側へ切り換える。スピーカ１０ａ〜ｎは、ＢＧＭ音源３０１からの音声信号を放送する。
【００４４】
ステップＳ３１：ＣＰＵ５は、操作部６のゾーン選択ボタンａ〜ｎのいずれか、例えばゾーン選択ボタンａが押されると、対応するゾーン出力リレー９を内部側に切り換える。従って、選択されたゾーンａに対応するスピーカ１０ａはパワーアンプ３に接続され、マイクからの音声を出力する。その他のゾーンのスピーカ１０ｂ〜ｎはＢＧＭ用アンプ３０２に接続されたままなので、継続してＢＧＭを放送する。
【００４５】
ステップＳ３２：ＣＰＵ５は、呼び出し放送終了後に操作部６のゾーン選択ボタンａが押されると、再びスピーカ１０ａをＢＧＭ用アンプに接続する。
以上の動作により、呼び出し放送を行わないゾーンにおいてＢＧＭ放送を中断することなく、特定のゾーンだけに呼び出し放送を行うことができる。
【００４６】
＜第４実施形態例＞
図４は、本発明の第４実施形態例に係る構内放送装置４１０を用いた構内放送システムの全体構成図である。この構内放送装置４１０には、複数の外部入力端子１３ａ及び１３ｂが設けられている。この例では、予備のパワーアンプ３ｂと、ＢＧＭ用アンプ３０２とが外部入力端子１３ａ及び１３ｂに接続されている。図中、第１実施形態例と同様の機能を有する構成要素は、同一の符号番号を付して示している。ただし、パワーアンプリレー１１は、スピーカ回線１ａ〜ｎをパワーアンプ３ａ又は外部入力端子１３ａに接続する。外部アンプリレー３０３は、スピーカ回線１ａ〜ｎを外部入力端子１３ｂ又は共通回線に接続する。ＣＰＵ５は、パワーアンプリレー１１及び外部アンプリレー３０３を前記第２実施形態例及び第３実施形態例と同様に制御する。従って、本実施形態例の構内放送装置４１０では、非常放送など重要性の高い放送を常に行える態勢下で多元放送が可能となる。
【００４７】
【発明の効果】
本発明を用いれば、ユーザの多様なニーズに柔軟に対応可能な構内放送装置を提供することができる。
【図面の簡単な説明】
【図１】第１実施形態例に係る構内放送システムの配線図。
【図２】第２実施形態例に係る構内放送システムの配線図。
【図３】第３実施形態例に係る放送構内放送システムの配線図。
【図４】第４実施形態例に係る放送構内放送システムの配線図。
【図５】従来の放送構内放送装置を非常放送設備を有する建物に使用する場合に設けられる制御板の配線例。
【図６】従来の放送構内放送装置に予備アンプを接続した場合の配線例。
【図７】従来の多元放送構内放送装置の配線例。
【符号の説明】
１：スピーカ回線
２：ミキサアンプ
３：パワーアンプ
４：検知部
５：ＣＰＵ
６：操作部
７：アッテネータ（ＡＴＴ）
８：ＡＴＴバイパスリレー
９：ゾーン出力リレー
１０：スピーカ
１１：パワーアンプリレー
１２：スピーカ出力端子
１３：外部入力端子
１０１：非常放送装置
２０１：プリアウト端子
３０１：ＢＧＭ音源
３０２：ＢＧＭ用アンプ
３０３：外部アンプリレー
１１０、２１０、３１０、４１０：構内放送装置
【図１】
0004290899.tif 000002
【図２】
0004290899.tif 000003
【図３】
0004290899.tif 000004
【図４】
0004290899.tif 000005
【図５】
0004290899.tif 000006
【図６】
0004290899.tif 000007
【図７】
0004290899.tif 000008